(57)【特許請求の範囲】
【請求項１】
無線通信システムのユーザ装置のための公的警告システム（ＰＷＳ）メッセージの受信中にＲＲＣ（Ｒａｄｉｏ  Ｒｅｓｏｕｒｃｅ  Ｃｏｎｔｒｏｌ）接続確立を処理する方法であって、
前記ＰＷＳメッセージを受信することを開始するステップと、
システム情報又はセルブロードキャストサービス（ＣＢＳ）によりブロードキャストされる前記ＰＷＳメッセージの受信中に高優先度パケット交換（ＰＳ）サービスを開始するためＲＲＣ接続確立手順を開始することを決定するステップと、
前記システム情報又は前記ＣＢＳによりブロードキャストされる前記ＰＷＳメッセージの受信中に前記高優先度ＰＳサービス以外のＰＳサービスを開始するためＲＲＣ接続確立手順を開始しないことを決定するステップと、
を有し、
前記高優先度ＰＳサービスは、高優先度ＰＳシグナリング送信を少なくとも含む、方法。
【請求項２】
前記ＰＷＳメッセージの受信を示す少なくとも１つの情報要素を有するページングメッセージを受信するステップを更に有する、請求項１記載の方法。
【請求項３】
前記少なくとも１つの情報要素は、前記ＰＷＳメッセージを示す情報要素と、ブロードキャスト制御チャネル（ＢＣＣＨ）の変更を示す情報要素とを有する、請求項２記載の方法。
【請求項４】
変数ＢＣＣＨ＿ＭＯＤＩＦＩＣＡＴＩＯＮ＿ＡＣＣＥＳＳ＿ＰＲＯＨＩＢＩＴＩＯＮがＴＲＵＥに設定される、請求項３記載の方法。
【請求項５】
前記高優先度ＰＳサービスは、ＩＭＳ音声発信、又はＩＭＳビデオ発信を更に含む、請求項１記載の方法。
【請求項６】
前記高優先度ＰＳシグナリング送信のため、ＲＲＣ確立原因を示す情報要素を“Ｈｉｇｈ  Ｐｒｉｏｒｉｔｙ  Ｓｉｇｎａｌｉｎｇ”に設定するステップを更に有する、請求項５記載の方法。
【請求項７】
公的警告システム（ＰＷＳ）メッセージの受信中にＲＲＣ（Ｒａｄｉｏ  Ｒｅｓｏｕｒｃｅ  Ｃｏｎｔｒｏｌ）接続確立を処理する無線通信システムの通信装置であって、
プログラムを実行する処理手段と、
前記処理手段に接続され、前記プログラムを格納するストレージユニットと、
を有し、
前記プログラムは、
前記ＰＷＳメッセージを受信することを開始するステップと、
システム情報又はセルブロードキャストサービス（ＣＢＳ）によりブロードキャストされる前記ＰＷＳメッセージの受信中に高優先度パケット交換（ＰＳ）サービスを開始するためＲＲＣ接続確立手順を開始することを決定するステップと、
前記システム情報又は前記ＣＢＳによりブロードキャストされる前記ＰＷＳメッセージの受信中に前記高優先度ＰＳサービス以外のＰＳサービスを開始するためＲＲＣ接続確立手順を開始しないことを決定するステップと、
を前記処理手段に実行するよう指示し、
前記高優先度ＰＳサービスは、高優先度ＰＳシグナリング送信を少なくとも含む、通信装置。
【請求項８】
前記プログラムは更に、前記ＰＷＳメッセージの受信を示す少なくとも１つの情報要素を有するページングメッセージを受信するステップを前記処理手段に実行するよう指示する、請求項７記載の通信装置。
【請求項９】
前記少なくとも１つの情報要素は、前記ＰＷＳメッセージを示す情報要素と、ブロードキャスト制御チャネル（ＢＣＣＨ）の変更を示す情報要素とを有する、請求項８記載の通信装置。
【請求項１０】
変数ＢＣＣＨ＿ＭＯＤＩＦＩＣＡＴＩＯＮ＿ＡＣＣＥＳＳ＿ＰＲＯＨＩＢＩＴＩＯＮがＴＲＵＥに設定される、請求項９記載の通信装置。
【請求項１１】
前記高優先度ＰＳサービスは、ＩＭＳ音声発信、又はＩＭＳビデオ発信を更に含む、請求項７記載の通信装置。
【請求項１２】
前記プログラムは更に、前記高優先度ＰＳシグナリング送信のため、ＲＲＣ確立原因を示す情報要素を“Ｈｉｇｈ  Ｐｒｉｏｒｉｔｙ  Ｓｉｇｎａｌｉｎｇ”に設定するステップを前記処理手段に実行するよう指示する、請求項１１記載の通信装置。
【請求項１３】
公的警告システム（ＰＷＳ）メッセージの受信中にＲＲＣ（Ｒａｄｉｏ  Ｒｅｓｏｕｒｃｅ  Ｃｏｎｔｒｏｌ）接続確立を処理する無線通信システムの通信装置であって、
プログラムを実行する処理手段と、
前記処理手段に接続され、前記プログラムを格納するストレージユニットと、
を有し、
前記プログラムは、
前記ＰＷＳメッセージを受信することを開始するステップと、
システム情報又はセルブロードキャストサービス（ＣＢＳ）によりブロードキャストされる前記ＰＷＳメッセージの受信中に低優先度回線交換（ＣＳ）サービスを開始するためＲＲＣ接続確立手順を開始しないことを決定するステップと、
前記システム情報又は前記ＣＢＳによりブロードキャストされる前記ＰＷＳメッセージの受信中に前記低優先度ＣＳサービス以外のＣＳサービスを開始するためＲＲＣ接続確立手順を開始することを決定するステップと、
を前記処理手段に実行するよう指示し、
前記低優先度ＣＳサービス以外の前記ＣＳサービスは、高優先度シグナリング送信を少なくとも含む、通信装置。
【請求項１４】
前記低優先度ＣＳサービスは、ショートメッセージサービスを含む、請求項１３記載の通信装置。
【請求項１５】
前記プログラムは更に、前記低優先度ＣＳサービスのため、ＲＲＣ確立原因を示す情報要素を“Ｌｏｗ  Ｐｒｉｏｒｉｔｙ  Ｓｉｇｎａｌｉｎｇ”に設定するステップを前記処理手段に実行するよう指示する、請求項１３記載の通信装置。
【発明の詳細な説明】
【技術分野】
【０００１】
本発明は、無線通信システムにおいて利用される方法及びそれの通信装置に関し、より詳細には、無線通信システムにおける公的警告システムメッセージの受信中にＲＲＣ（Ｒａｄｉｏ  Ｒｅｓｏｕｒｃｅ  Ｃｏｎｔｒｏｌ）接続確立を処理する方法及びそれの通信装置に関する。
【背景技術】
【０００２】
３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、無線エアインタフェースとしてＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）を採用するＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）を開発してきた。ＵＭＴＳでは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）として知られる無線アクセスネットワークは、複数のユーザ装置（ＵＥ）（すなわち、移動局（ＭＳ））と通信するための複数のＮｏｄｅ−Ｂ（ＮＢ）を含む。ＵＭＴＳは、パケット交換（ＰＳ）サービスと回線交換（ＣＳ）サービスとの双方をサポートし、高周波数スペクトル利用、ユニバーサルカバレッジ及び高速マルチメディアデータ伝送を提供する。
【０００３】
３ＧＰＰにより示される地震津波警告システム（ＥＴＷＳ）などの公的警告システム（ＰＷＳ）は、地震、津波又は地滑りなどの自然災害に近づくことから避難させるべき多数のモバイルユーザに警告通知を同時に発送するための自然災害警告システムである。ＰＷＳは、警告通知を発送可能なＰＬＭＮ（Ｐｕｂｌｉｃ  Ｌａｎｄ  Ｍｏｂｉｌｅ  Ｎｅｔｗｏｒｋ）と、警告通知を受信可能なＵＥとから構成される。ＰＷＳのＰＬＭＮは、２Ｇ／２．５Ｇ  ＧＳＭ（登録商標）システムのＧＥＲＡＮ（ＧＳＭ／ＥＤＧＥ  Ｒａｄｉｏ  Ａｃｃｅｓｓ  Ｎｅｔｗｏｒｋ）、３Ｇ  ＵＭＴＳシステムのＵＴＲＡＮ又はＬＴＥ（Ｌｏｎｇ  Ｔｅｒｍ  Ｅｖｏｌｕｔｉｏｎ）システムのＥＵＴＲＡＮ（ｅｖｏｌｖｅｄ−ＵＴＲＡＮ）とすることができる。警告通知プロバイダは、通常は地方政府により運営され、自然災害イベントが発生すると、警告通知をＰＬＭＮオペレータに生成する。
【０００４】
従来技術では、アイドル状態のＰＷＳ対応ＵＥは、システム情報又はセルブロードキャストサービス（ＣＢＳ）によりブロードキャストされる警告通知を受信可能である。システム情報は、ＵＭＴＳシステム及びＧＳＭシステムにおいてブロードキャスト制御チャネル（ＢＣＣＨ）により送信される。ＣＢＳは、ＵＭＴＳシステムにおいて共通トラフィックチャネル（ＣＴＣＨ）により送信され、ＧＳＭシステムにおいてセルブロードキャストチャネル（ＣＢＣＨ）により送信される。しかしながら、ＰＷＳ対応ＵＥは、システム情報又はＣＢＳを受信しているとき、ＲＲＣ  Ｃｏｎｎｅｃｔｅｄモードにあることが許可されない。一般に、警告通知を受信するＰＷＳ対応ＵＥのユーザは、彼の／彼女の友人や親戚に災害エリアの状況を通知するため、ＣＳ電話発信を行うことを所望するかもしれない。３ＧＰＰ仕様は、ＰＷＳ対応ＵＥが警告通知を受信しているとき、ＰＷＳ対応ＵＥがＣＳサービスにアクセスすることを可能にする。従って、ＰＷＳ対応ＵＥは、警告通知の受信中にＣＳ電話発信を行うためＲＲＣ接続確立を即座に実行する。しかしながら、ユーザがＶｏＩＰ（Ｖｏｉｃｅ  ｏｖｅｒ  Ｉｎｔｅｒｎｅｔ  Ｐｒｏｔｏｃｏｌ）を介し電話発信する必要がある場合（例えば、ＩＰマルチメディアサブシステム（ＩＭＳ）発信）など）、ＰＳドメインにおいて当該電話発信を行うことは、警告通知の受信が終了するまで禁止又は延期され、ＰＷＳ対応ＵＥのユーザを困らせる。さらに、複数の低優先度ＣＳサービスがまた、警告通知の受信中に許可される。従って、従来技術に対する改良の必要性がある。
【発明の概要】
【発明が解決しようとする課題】
【０００５】
従って、本発明の課題は、上述した問題点を解決するため、無線通信システムの公的警告システム（ＰＷＳ）メッセージの受信中にＲＲＣ接続確立を処理するための方法及びそれの通信装置を提供することである。
【課題を解決するための手段】
【０００６】
本発明の実施例は、無線通信システムのユーザ装置のための公的警告システム（ＰＷＳ）メッセージの受信中にＲＲＣ（Ｒａｄｉｏ  Ｒｅｓｏｕｒｃｅ  Ｃｏｎｔｒｏｌ）接続確立を処理する方法であって、前記ＰＷＳメッセージを受信することを開始するステップと、システム情報又はセルブロードキャストサービス（ＣＢＳ）によりブロードキャストされる前記ＰＷＳメッセージの受信中に高優先度パケット交換（ＰＳ）サービスを開始するためＲＲＣ接続確立手順を開始することを決定するステップと、前記システム情報又は前記ＣＢＳによりブロードキャストされる前記ＰＷＳメッセージの受信中に前記高優先度ＰＳサービス以外のＰＳサービスを開始するためＲＲＣ接続確立手順を開始しないことを決定するステップとを有する方法を開示する。
【０００７】
本発明の実施例は更に、ＰＷＳメッセージの受信中にＲＲＣ接続確立を処理する無線通信システムの通信装置を開示する。当該通信装置は、処理手段とストレージユニットとを有する。処理手段は、プログラムを実行するのに利用される。ストレージユニットは、処理手段に接続され、プログラムを格納するのに利用され、前記プログラムは、前記ＰＷＳメッセージを受信することを開始するステップと、システム情報又はセルブロードキャストサービス（ＣＢＳ）によりブロードキャストされる前記ＰＷＳメッセージの受信中に高優先度パケット交換（ＰＳ）サービスを開始するためＲＲＣ接続確立手順を開始することを決定するステップと、前記システム情報又は前記ＣＢＳによりブロードキャストされる前記ＰＷＳメッセージの受信中に前記高優先度ＰＳサービス以外のＰＳサービスを開始するためＲＲＣ接続確立手順を開始しないことを決定するステップとを前記処理手段に実行するよう指示する。
【０００８】
本発明の実施例は更に、ＰＷＳメッセージの受信中にＲＲＣ接続確立を処理する無線通信システムの通信装置を開示する。当該通信装置は、処理手段とストレージユニットとを有する。処理手段は、プログラムを実行するのに利用される。ストレージユニットは、処理手段に接続され、プログラムを格納するのに利用され、前記ＰＷＳメッセージを受信することを開始するステップと、システム情報又はセルブロードキャストサービス（ＣＢＳ）によりブロードキャストされる前記ＰＷＳメッセージの受信中に低優先度回線交換（ＣＳ）サービスを開始するためＲＲＣ接続確立手順を開始しないことを決定するステップと、前記システム情報又は前記ＣＢＳによりブロードキャストされる前記ＰＷＳメッセージの受信中に前記低優先度ＣＳサービス以外のＣＳサービスを開始するためＲＲＣ接続確立手順を開始することを決定するステップとを前記処理手段に実行するよう指示する。
【発明の効果】
【０００９】
本発明によると、無線通信システムの公的警告システム（ＰＷＳ）メッセージの受信中にＲＲＣ接続確立を処理するための方法及びそれの通信装置を提供することができる。
【００１０】
本発明の上記及び他の課題は、各種図面に示される好適な実施例の以下の詳細な説明を参照した後、当業者に明らかになるであろう。
【図面の簡単な説明】
【００１１】
【図１】図１は、本発明の実施例による無線通信システムの概略図である。
【図２】図２は、本発明の実施例による通信装置の概略図である。
【図３】図３は、本発明の実施例による処理のフローチャートである。
【図４】図４は、本発明の他の実施例による処理のフローチャートである。
【発明を実施するための形態】
【００１２】
本発明の実施例による無線通信システム１０の概略図である図１を参照されたい。無線通信システム１０は、２．５Ｇ／３Ｇ（Ｇｅｎｅｒａｔｉｏｎ）移動通信システム、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システム又は他の移動通信システムに基づく公的警告システム（ＰＷＳ）であり、ネットワークと複数のＰＷＳ対応ユーザ装置（ＵＥ）から概略的には構成される。図１において、ネットワーク及びＰＷＳ対応ＵＥは、無線通信システム１０の構成を示すのに単に利用されている。実際には、ネットワークは、２Ｇ／２．５ＧシステムのＧＥＲＡＮ（ＧＳＭ／ＥＤＧＥ  Ｒａｄｉｏ  Ａｃｃｅｓｓ  Ｎｅｔｗｏｒｋ）、３Ｇ  ＵＭＴＳシステムのＵＴＲＡＮ（ＵＭＴＳ  Ｒａｄｉｏ  Ａｃｃｅｓｓ  Ｎｅｔｗｏｒｋ）であってもよく、実際の要求に従って複数の基地局（すなわち、ＢＴＳ又はＮｏｄｅ−Ｂ）、ネットワークコントローラ（すなわち、基地局コントローラや無線ネットワークコントローラ）から構成される。
【００１３】
各ＰＷＳ対応ＵＥは、移動局、低コスト装置（例えば、マシーンタイプ通信（ＭＴＣ）装置など）、携帯電話、ラップトップ、タブレットコンピュータ、電子書籍又はポータブルコンピュータシステムであってもよい。さらに、ネットワーク及びＵＥは、方向（すなわち、送信方向）に従って送信機又は受信機としてみなされ、例えば、アップリンク（ＵＬ）について、ＵＥは送信機であり、ネットワークは受信機であり、ダウンリンク（ＤＬ）について、ネットワークは送信機であり、ＵＥは受信機である。より詳細には、ネットワークにとって、送信方向はＤＬであり、受信方向はＵＬである。ＵＥにとって、送信方向はＵＬであり、受信方向はＤＬである。
【００１４】
ネットワークは、システム情報又はセルブロードキャストサービス（ＣＢＳ）を介しブロードキャストによりＰＷＳ対応ＵＥにＰＷＳメッセージ（警告通知など）を送信する。ＰＷＳメッセージの送信前、ネットワークはまず災害エリア又は災害近傍エリアのＰＷＳ対応ＵＥにページングメッセージを送信する。ページングメッセージは、送信が必要な警告通知があることを示すため、メッセージＰＡＧＩＮＧ  ＴＹＰＥ  １に情報要素（ＩＥ）“ＥＴＷＳ情報”及びＩＥ“ＢＣＣＨ  ｍｏｄｉｆｉｃａｔｉｏｎ  ｉｎｆｏ”を含めてもよい。ＩＥ“ＥＴＷＳ  ｉｎｆｏｒｍａｔｉｏｎ”は、ＰＷＳメッセージが地震及び津波警告システム（ＥＴＷＳ）メッセージであることを示す。ＩＥ“ＢＣＣＨ  ｍｏｄｉｆｉｃａｔｉｏｎ  ｉｎｆｏ”は、ブロードキャスト制御チャネル（ＢＣＣＨ）におけるシステム情報のアップデートがあることをＵＥに通知する。３ＧＰＰ仕様３ＧＰＰ  ＴＳ  ２５．３３１  ｖ１１．５．０によると、ＩＥ“ＥＴＷＳ  ｉｎｆｏｒｍａｔｉｏｎ”とＩＥ“ＢＣＣＨ  ｍｏｄｉｆｉｃａｔｉｏｎ  ｉｎｆｏ”との双方がメッセージＰＡＧＩＮＧ  ＴＹＰＥ  １に存在する場合、ＰＷＳ対応ＵＥは、変数ＢＣＣＨ＿ＭＯＤＩＦＩＣＡＴＩＯＮ＿ＡＣＣＥＳＳ＿ＰＲＯＨＩＢＩＴＩＯＮをＴＲＵＥに設定すべきである。このような状態において、アイドルモードのＰＷＳ対応ＵＥは、ＲＲＣ接続確立手順を開始しなくてもよい。
【００１５】
さらに、３ＧＰＰ仕様によると、アイドルモードのＰＷＳ対応ＵＥは、以下の３つの条件の少なくとも１つが充足されるときに限って、ＲＲＣ接続確立手順を開始することが可能とされる。第１に、変数“ＢＣＣＨ＿ＭＯＤＩＦＩＣＡＴＩＯＮ＿ＡＣＣＥＳＳ＿ＰＲＯＨＩＢＩＴＩＯＮ”がＦＡＬＳＥに設定されている場合、すなわち、ＩＥ“ＥＴＷＳ  ｉｎｆｏｒｍａｔｉｏｎ”及びＩＥ“ＢＣＣＨ  ｍｏｄｉｆｉｃａｔｉｏｎ  ｉｎｆｏ”の少なくとも１つが、メッセージＰＡＧＩＮＧ  ＴＹＰＥ  １に存在すべきでない場合、ＰＷＳ対応ＵＥは、ＲＲＣ接続確立手順を開始することが可能とされる。第２に、シグナリング接続の確立がＣＳドメインについて要求される場合、すなわち、ＣＳサービスのためのＲＲＣ接続が許可されるが、ＰＳサービスのためには許可されない場合、ＰＷＳ対応ＵＳは、ＲＲＣ接続確立手順を開始することが可能とされる。第３に、変数ＥＳＴＡＢＬＩＳＨＭＥＮＴ＿ＣＡＵＳＥが“Ｅｍｅｒｇｅｎｃｙ  Ｃａｌｌ”に設定される場合、すなわち、緊急発信のためＲＲＣ接続が確立される場合、ＰＷＳ対応ＵＥは、ＲＲＣ接続確立手順を開始することが可能とされる。上述した３つの条件の何れも充足されない場合、ＰＷＳ対応ＵＳは、ＲＲＣ接続確立手順を開始することが禁止される。
【００１６】
変数ＢＣＣＨ＿ＭＯＤＩＦＩＣＡＴＩＯＮ＿ＡＣＣＥＳＳ＿ＰＲＯＨＩＢＩＴＩＯＮが、ＰＷＳメッセージの受信のためＴＲＵＥに設定されている場合、ＲＲＣ接続を確立するため、緊急発信及びＣＳサービスが許可される。変数ＢＣＣＨ＿ＭＯＤＩＦＩＣＡＴＩＯＮ＿ＡＣＣＥＳＳ＿ＰＲＯＨＩＢＩＴＩＯＮがＦＡＬＳＥに設定される場合、ＰＳサービスがまた、ＣＳサービスに加えてＲＲＣ接続を確立するため許可される。従って、３ＧＰＰ仕様の一般的なコンセプトによると、緊急発信を考慮することなく、ＣＳサービスはＰＷＳメッセージの受信より高い優先度を有し、ＰＷＳメッセージの受信はＰＳサービスより高い優先度を有する。このような状態において、複数の重要なＰＳサービスはより低い優先度を有し、複数の重要性の低いＣＳサービスはより高い優先度を有してもよい。
【００１７】
本発明の実施例による通信装置２０の概略図である図２を参照されたい。通信装置２０は、限定されることなく、図１に示されるＵＥ又はネットワークを実現するのに利用されてもよい。通信装置２０は、マイクロプロセッサやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの処理手段２００、ストレージユニット２１０及び通信インタフェースユニット２２０を有してもよい。ストレージユニット２１０は、処理手段２００によりアクセス及び実行されるプログラムコード２１４を格納可能な何れかのデータストレージ装置であってもよい。ストレージユニット２１０の具体例として、限定することなく、ＳＩＭ（Ｓｂｓｃｒｉｂｅｒ  Ｉｄｅｎｔｉｔｙ  Ｍｏｄｕｌｅ）、ＲＯＭ（Ｒｅａｄ−Ｏｎｌｙ  Ｍｅｍｏｒｙ）、フラッシュメモリ、ＲＡＭ（Ｒａｎｄｏｍ−Ａｃｃｅｓｓ  Ｍｅｍｏｒｙ）、ＣＤ−ＲＯＭ／ＤＶＤ−ＲＯＭ、磁気テープ、ハードディスク及び光データストレージ装置があげられる。通信インタフェースユニット２２０は、好ましくは、送受信機であり、処理手段２００の処理結果に従って信号（メッセージ又はパケットなど）を送受信するのに利用される。
【００１８】
本発明の実施例による処理３０のフローチャートである図３を参照されたい。処理３０は、ＰＷＳメッセージの受信中にＲＲＣ接続確立を処理するため、図１に示される無線通信システム１０のＰＷＳ対応ＵＥにおいて利用されてもよい。処理３０は、プログラムコード２１４にコンパイルされてもよく、以下のステップを有する。
【００１９】
ステップ３００：スタート。
【００２０】
ステップ３０２：ＰＷＳメッセージを受信することを開始する。
【００２１】
ステップ３０４：システム情報又はＣＢＳによりブロードキャストされるＰＷＳメッセージの受信中に高優先度ＰＳサービスを開始するためＲＲＣ接続確立手順を開始することを決定する。
【００２２】
ステップ３０６：システム情報又はＣＢＳによりブロードキャストされるＰＷＳメッセージの受信中に高優先度ＢＳサービス以外のＰＳサービスを開始するためＲＲＣ接続確立手順を開始しないことを決定する。
【００２３】
ステップ３０８：エンド
処理３０によると、ＰＷＳ対応ＵＳは、ＰＷＳメッセージの受信中にＩＭＳ音声発信、ＩＭＳビデオ発信又はＰＳシグナリング送信など、より高い優先度を有するＰＳサービスについてＲＲＣ接続確立手順を開始することを決定する。当該ＰＷＳメッセージは、システム情報又はＣＢＳによりブロードキャストされる。このような状態において、ページングメッセージはＰＷＳメッセージの前に受信されてもよい。ＰＷＳメッセージの受信を示すページングメッセージ（ＰＡＧＩＮＧ  ＴＹＰＥ  １）は、ＰＷＳメッセージに対応してＩＥ“ＢＣＣＨ  ｍｏｄｉｆｉｃａｔｉｏｎ  ｉｎｆｏ”及びＩＥ“ＥＴＷＳ  ｉｎｆｏｒｍａｔｉｏｎ”を有し、これにより、ＵＥは、変数ＢＣＣＨ＿ＭＯＤＩＦＩＣＡＴＩＯＮ＿ＡＣＣＥＳＳ＿ＰＲＯＨＩＢＩＴＩＯＮをＴＲＵＥに設定してもよい。ＰＷＳ対応ＵＥがＲＲＣ接続確立手順を開始することを決定すると、ＰＷＳ対応ＵＥは、ＰＷＳメッセージの受信を終了する。
【００２４】
変数ＢＣＣＨ＿ＭＯＤＩＦＩＣＡＴＩＯＮ＿ＡＣＣＥＳＳ＿ＰＲＯＨＩＢＩＴＩＯＮがＴＲＵＥに設定される場合であっても、ＵＥは、ＩＭＳ音声発信、ＩＭＳビデオ発信又はＰＳシグナリング送信などの高優先度ＰＳサービスのためにＲＲＣ接続を確立することを決定する。これらのＰＳサービスは、一般に高優先度サービスとみなされ、ＰＷＳメッセージの受信のため延期又は禁止されるべきでない。例えば、ＰＷＳメッセージにおいて警告通知を受信した人々は、自分の友人又は親戚に災害エリアにおける状況を知らせるため、電話発信を行うことを所望するかもしれない。他の人々はまた、災害エリアに生活している友人や親戚に電話発信することを所望するかもしれず、すなわち、ＩＭＳ発信は、ページングメッセージの受信により開始されてもよい。従って、ＩＭＳ音声発信とＩＭＳビデオ発信との双方は延期又は禁止されるべきでない。さらに、ＰＷＳ対応ＵＥは、セル間又はルーティングエリア間を移動しているとき、アタッチ手順又はルーティングエリア更新手順を実行する必要があるかもしれない。ＰＷＳ対応ＵＥがセル間又はルーティングエリア間で移動した後、アタッチ手順又はルーティングエリア更新手順が完了しない場合、ページングメッセージはＰＷＳ対応ＵＥにより受信されなくてもよい。従って、アタッチリクエストメッセージ又はルーティングエリア更新リクエストメッセージを含むＰＳシグナリング送信はまた、高優先度サービスとしてみなされてもよく、ＰＷＳメッセージの受信のため延期又は禁止されるべきでない。他方、ＰＷＳ対応ＵＥは、ＰＷＳメッセージの受信が終了するまで、高優先度ＰＳサービスでないＰＳサービスのためのＲＲＣ接続確立を禁止又は延期することを決定する。ＰＳサービスは、ウェブブラウジング、Ｆａｃｅｂｏｏｋ、Ｔｗｉｔｔｅｒ、Ｐｌｕｒｋ、メッセージング（ＷｈａｔｓＡＰＰ及びＬｉｎｅなど）、ＹｏｕＴｕｂｅ（登録商標）又は電子メールなどのインターネットサービスであってもよい。
【００２５】
実施例では、ＰＷＳ対応ＵＥは、当該ＲＲＣ接続が高優先度サービスのため開始されることをネットワークに通知するため、ＲＲＣ接続リクエストメッセージに通知を含めてもよい（例えば、確立原因を利用することによって）。ネットワークは、通知が高優先度定義を充足するとき、ＲＲＣ接続を許可する。例えば、ＩＭＳ音声発信又はＩＭＳビデオ発信について、ＰＷＳ対応ＵＥは、ＲＲＣ接続原因を示す情報要素を“Ｏｒｉｇｉｎａｔｉｎｇ  Ｃｏｎｖｅｒｓａｔｉｏｎａｌ  Ｃａｌｌ”又は“Ｔｅｒｍｉｎａｔｉｎｇ  Ｃｏｎｖｅｒｓａｔｉｏｎａｌ  Ｃａｌｌ”に設定してもよく、“Ｏｒｉｇｉｎａｔｉｎｇ  Ｃｏｎｖｅｒｓａｔｉｏｎａｌ  Ｃａｌｌ”は電話発信の開始を示し、“Ｔｅｒｍｉｎａｔｉｎｇ  Ｃｏｎｖｅｒｓａｔｉｏｎａｌ  Ｃａｌｌ”は電話発信の受信を示す。アタッチリクエストメッセージやルーティングエリア更新リクエストメッセージなどの高優先度ＰＳシグナリング送信について、ＰＷＳ対応ＵＥは、ＲＲＣ確立原因を示す情報要素を“Ｈｉｇｈ  Ｐｒｉｏｒｉｔｙ  Ｓｉｇｎａｌｉｎｇ”に設定してもよい。ＵＥ及びネットワークは、何れのサービスが高優先度を有するか任意的に定義してもよいし、又は３ＧＰＰは、何れのサービスが高優先度を有しているか示してもよい。これは、ここに限定されるべきでない。
【００２６】
本発明の実施例による処理４０のフローチャートである図４を参照されたい。処理４０は、ＰＷＳメッセージの受信中にＲＲＣ接続確立を処理する図１に示される無線通信システムのＰＷＳ対応ＵＥにおいて利用されてもよい。処理４０は、プログラムコード２１４にコンパイルされてもよく、以下のステップを有する。
【００２７】
ステップ４００：スタート。
【００２８】
ステップ４０２：ＰＷＳメッセージを受信することを開始する。
【００２９】
ステップ４０４：システム情報又はＣＢＳによりブロードキャストされるＰＷＳメッセージの受信中に低優先度ＣＳサービスを開始するためのＲＲＣ接続確立手順を開始しないことを決定する。
【００３０】
ステップ４０６：システム情報又はＣＢＳによりブロードキャストされるＰＷＳメッセージの受信中に低優先度ＣＳサービス以外のＣＳサービスを開始するためＲＲＣ接続確立手順を開始することを決定する。
【００３１】
ステップ４０８：エンド
処理４０によると、ＰＷＳ対応ＵＥは、ＰＷＳメッセージの受信中に低優先度を有するＣＳサービスを開始するためＲＲＣ接続確立手順を開始しないことを決定する。ここで、ＰＷＳメッセージは、システム情報又はＣＢＳによりブロードキャストされる。このような低優先度ＣＳサービスは、ショートメッセージサービス（ＳＭＳ）であってもよい。一般に、自然災害が発生すると、人々は、ショートメッセージを送信するのでなく、自分の友人や親戚と通信するため電話発信することを所望するかもしれない。このような状況では、ＳＭＳは、低優先度サービスとしてみなされるべきであり、ＰＷＳメッセージの受信終了まで延期されるべきである。他方、ＰＷＳ対応ＵＥは、ＰＷＳメッセージの受信中に低優先度ＣＳサービスを除くＣＳサービスを開始するため、ＲＲＣ接続確立手順を開始することを決定する。低優先度ＣＳサービスを除くＣＳサービスは、例えば、位置更新リクエストを送信するための高優先度シグナリング、ＣＳ音声発信、又はＣＳビデオ発信であってもよい。
【００３２】
実施例では、ＰＷＳ対応ＵＥは、当該ＲＲＣ接続が低優先度ＣＳサービスのため開始されることをネットワークに通知するため、ＲＲＣ接続リクエストメッセージに通知を含めてもよい（例えば、確立原因などを用いることによって）。ネットワークは、通知が低優先度の定義を充足しているとき、ＲＲＣ接続を許可しないようにしてもよい。例えば、ＳＭＳなどの低優先度サービスについて、ＰＷＳ対応ＵＥは、ＲＲＣ確立原因を示す情報要素を“Ｌｏｗ  Ｐｒｉｏｒｉｔｙ  Ｓｉｇｎａｌｉｎｇ”に設定してもよい。ＵＥ及びネットワークは何れのサービスが低優先度を有しているか任意的に定義してもよいことに留意されたい。これは、ここに限定されるべきでない。他の実施例では、ＰＷＳ対応ＵＥは、当該ＲＲＣ接続が低優先度ＣＳサービス以外のＣＳサービスについて開始されることをネットワークに通知するため、ＲＲＣ接続リクエストメッセージに通知を含めてもよい（例えば、確立原因などを用いることによって）。ネットワークは、当該通知が低優先度の定義に充足しないとき、ＲＲＣ接続を許可してもよい。例えば、ＣＳ音声発信について、ＰＷＳ対応ＵＥは、ＣＳ音声発信がモバイルにより開始された発信又はモバイルにより終了された発信であるかに依存して、ＲＲＣ確立原因を示す情報要素を“Ｏｒｉｇｉｎａｔｉｎｇ  Ｃｏｎｖｅｒｓａｔｉｏｎａｌ  Ｃａｌｌ”又は“Ｔｅｒｍｉｎａｔｉｎｇ  Ｃｏｎｖｅｒｓａｔｉｏｎａｌ  Ｃａｌｌ”に設定してもよい。ＵＥ及びネットワークは、何れのサービスが低優先度を有するか任意的に定義してもよく、又は何れのサービスが低優先度を有するか指定してもよいことに留意されたい。これは、ここでは限定されるべきでない。
【００３３】
全てのＣＳサービスがＰＷＳメッセージの受信より高い優先度を有し、ＰＷＳメッセージの受信がＰＳサービスより高い優先度を有する従来技術と比較して、本発明は、より高い優先度のＰＳサービスがＰＷＳメッセージの受信中にＰＷＳ対応ＵＥにより実行されることを可能にする。さらに、低優先度ＣＳサービスは、ＰＷＳメッセージの受信中には許可されない。従って、ＰＷＳ対応ＵＥの優先度の割り当てを向上させることが可能である。
【００３４】
当業者は、上述した説明及び具体例に対する組み合わせ、改良及び／又は変更を容易に行うべきである。示唆されたステップを含む上述した処理のステップは、ハードウェア、ハードウェア装置上の読み出し専用ソフトウェアとして常駐するコンピュータ命令及びデータとハードウェア装置との組み合わせとして知られるファームウェア、又は電子システムとすることが可能な手段により実現可能である。ハードウェアの具体例は、マイクロ回路、マイクロチップ又はシリコンチップとして知られるアナログ、デジタル及び混合回路を含むことが可能である。電子システムの具体例は、システム・オン・チップ（ＳＯＣ）、システム・イン・パッケージ（ＳｉＰ）、コンピュータ・オン・モジュール（ＣＯＭ）及び通信装置２０を含むことが可能である。
【００３５】
要約すると、本発明は、ＰＷＳ対応ＵＥがＰＷＳメッセージの受信中に高優先度のＰＳサービスを受信することを可能にする、無線通信システムのＰＷＳメッセージの受信中にＲＲＣ接続確立を処理する方法及びそれの通信装置を提供する。このような状態において、ＰＷＳ対応ＵＥの優先度の割り当てを向上させることが可能である。
【００３６】
当業者は、装置及び方法の多数の改良及び変更が本発明の教示を維持しながら可能であることを容易に観察するであろう。従って、上記開示は、添付した請求項の境界によってのみ限定されるものとして解釈されるべきである。
【符号の説明】
【００３７】
１０  無線通信システム
２０  通信装置
２００  処理手段
２１０  ストレージユニット
２２０  通信インタフェースユニット
【図１】
0005864675.tif 000002
【図２】
0005864675.tif 000003
【図３】
0005864675.tif 000004
【図４】
0005864675.tif 000005